(57)【特許請求の範囲】
【請求項１】
ウェブページの商品情報に対応するチャットメッセージを生成する方法において、
サーバにおいて、第１のデバイス又はウェブサーバから受信した要請に基づき、前記第１のデバイスのウェブページ上に表示された識別子に対する選択を認識するステップと、
前記要請に基づいて前記ウェブページの商品情報及び前記選択と関連したユーザのアカウント情報を取得するステップと、
前記アカウント情報に基づき、前記サーバのアカウントと前記ユーザのアカウントとの間でチャットセッションを活性化するステップと、
前記商品情報に対応するチャットメッセージを生成するステップと、
前記チャットセッションを通じて前記チャットメッセージを第２のデバイスに提供するステップと、を含む、チャットメッセージ生成方法。
【請求項２】
前記チャットセッションを活性化するステップは、前記サーバのアカウント情報及び前記ユーザのアカウント情報を含むチャットセッション活性化要請をチャットサーバに送信することによって、前記チャットセッションを活性化することである、請求項１に記載のチャットメッセージ生成方法。
【請求項３】
前記ユーザのアカウント情報を取得するステップの後に、前記アカウント情報に基づいて前記商品情報を前記ユーザのウィッシュリストに追加するステップをさらに含み、
前記チャットメッセージを第２のデバイスに提供するステップの後に、前記提供したチャットメッセージが前記第２のデバイスによって選択される場合、前記ウィッシュリストに関する情報を前記第２のデバイスに提供するステップをさらに含み、
前記識別子はウィッシュリスト識別子であり、前記サーバはウィッシュリストサーバである、請求項１に記載のチャットメッセージ生成方法。
【請求項４】
前記ウェブページは第１のウェブページであり、前記商品情報は第１の商品情報であり、
前記チャットメッセージは第１のチャットメッセージであって、
前記第１のチャットメッセージを第２のデバイスに提供するステップの後に、前記第１のデバイスの第２のウェブページ上に表示された識別子に対する選択を認識した場合、
前記第２のウェブページの第２の商品情報に対応する第２のチャットメッセージを前記第２のデバイスに提供するステップをさらに含む、請求項１に記載のチャットメッセージ生成方法。
【請求項５】
前記第１のウェブページは第１のウェブサーバによって前記第１のデバイスに提供され、
前記第２のウェブページは第２のウェブサーバによって前記第１のデバイスに提供され、
前記第１のチャットメッセージ及び前記第２のチャットメッセージは、前記チャットセッションを通じて前記第２のデバイスに提供される、請求項４に記載のチャットメッセージ生成方法。
【請求項６】
前記ウィッシュリストに関する情報は、前記ユーザ又は前記ユーザの友達の要請に応答して前記ユーザの友達のデバイスに提供される、請求項１に記載のチャットメッセージ生成方法。
【請求項７】
前記チャットメッセージは、前記第１のデバイスから入力されたテキストを含む、請求項４に記載のチャットメッセージ生成方法。
【請求項８】
前記識別子に対する選択を認識するステップは、前記第１のデバイスのウェブページから受信した要請に基づき、前記第１のデバイスのウェブページ上に表示された識別子に対する選択を認識することであり、
前記チャットメッセージを第２のデバイスに提供するステップは、前記チャットメッセージを前記第２のデバイスのチャットアプリケーションに提供することである、請求項１に記載のチャットメッセージ生成方法。
【請求項９】
前記商品情報又は前記アカウント情報は、前記第１のデバイス又は前記ウェブページに対応するブックマーク情報やツールバーによって取得される、請求項１に記載のチャットメッセージ生成方法。
【請求項１０】
前記チャットメッセージを第２のデバイスに提供するステップの後に、前記商品情報に関する決済要請が受信されると、前記決済と関連したチャットメッセージを生成するステップと、
前記決済と関連したチャットメッセージを前記第２のデバイスへ送信するステップとをさらに含む、請求項１に記載のチャットメッセージ生成方法。
【請求項１１】
前記ウィッシュリストに関する情報は、前記ユーザのウィッシュリストに関する情報及び前記ユーザの友達のウィッシュリストに関する情報を含む、請求項３に記載のチャットメッセージ生成方法。
【請求項１２】
ウェブページの商品情報に対応するチャットメッセージを生成するサーバにおいて、
第１のデバイス又はウェブサーバから受信した要請に基づき、前記第１のデバイスのウェブページ上に表示された識別子に対する選択を認識する識別子選択認識部と、
前記要請に基づいて前記ウェブページの商品情報及び前記選択と関連したユーザのアカウント情報を取得するアカウント情報取得部と、
前記アカウント情報に基づき、前記サーバのアカウントと前記ユーザのアカウントとの間でチャットセッションを活性化するチャットセッション活性化部と、
前記商品情報に対応するチャットメッセージを生成するチャットメッセージ生成部と、前記チャットセッションを通じて前記チャットメッセージを第２のデバイスに提供するチャットメッセージ提供部と、を含む、サーバ。
【請求項１３】
商品情報に対応するチャットメッセージを受信するデバイスにおいて、
外部デバイスのウェブページ上に表示された識別子が選択される場合、前記ウェブページの商品情報に対応するチャットメッセージを受信するチャットメッセージ受信部と、
前記チャットメッセージをチャット領域に表示するチャット領域表示部と、
前記チャットメッセージに関するユーザの入力を受信するユーザ入力受信部と、
前記ユーザの入力に対応して前記商品情報を含むウィッシュリストをウィッシュリスト領域に表示するウィッシュリスト領域表示部と、
を含み、
前記チャットメッセージは、ウィッシュリストサーバによって生成され、チャットサーバを通じて前記ウィッシュリストサーバから前記デバイスに伝達され、
前記チャット領域は前記ウィッシュリストサーバのアカウントと前記デバイスに関するアカウントの間で活性化されたチャットセッションを通じて生成された、デバイス。
【請求項１４】
前記ウェブページは第１のウェブページであり、前記商品情報は第１の商品情報であり、前記チャットメッセージは第１のチャットメッセージであって、
前記チャットメッセージ受信部は、外部デバイスの第２のウェブページ上に表示された識別子が選択される場合、前記第２のウェブページの第２の商品情報に対応する第２のチャットメッセージを受信し、
前記チャット領域表示部は、前記第１のチャットメッセージ及び前記第２のチャットメッセージを前記チャット領域に表示する、請求項１３に記載のデバイス。
【発明の詳細な説明】
【技術分野】
【０００１】
ウェブページの商品情報に対応するチャットメッセージを生成する方法及びサーバ、並びにチャットメッセージを受信するデバイスに関する。
【背景技術】
【０００２】
ＩＭＳ（Ｉｎｓｔａｎｔ  Ｍｅｓｓａｇｅ  Ｓｅｒｖｉｃｅ）は、電子メールプログラムやウェブブラウザを別途に用いずに、送信者が送信したメッセージが受信者のデバイスの画面に即時に露出されるようにするリアルタイムオンラインコミュニケーションサービスを意味する。特に、モバイルネットワークを用いてチャット、音声及びビデオ通話などを提供するサービスをＭＩＭ（Ｍｏｂｉｌｅ  Ｉｎｓｔａｎｔ  Ｍｅｓｓｅｎｇｅｒ）サービスという。これに関し、韓国公開特許第２０１０−００６３８３８号には、モバイルインスタントメッセージシステム及びそのサービス方法が開示されている。
【０００３】
スマートデバイスの発展により、ユーザは、場所を問わず、様々な場所でショッピング、インターネット、音楽鑑賞、動画視聴などのような様々なサービスを利用できるようになった。近年、ユーザは、スマートデバイスを用いて商品を購入することにより、手軽くショッピングを楽しめるようになり、このようなモバイルショッピングの利用はますます拡散している傾向がある。
【発明の概要】
【発明が解決しようとする課題】
【０００４】
ウェブページの商品情報をチャットメッセージを通じてユーザデバイスに提供することにより、ウェブショッピングとモバイルショッピングとを連動させることのできるウェブページの商品情報に対応するチャットメッセージを生成する方法、サーバ並びにデバイスを提供することを目的とする。それぞれのウェブページに関する商品情報をチャットメッセージを用いてアプリケーションのウィッシュリストにて統合管理できるチャットメッセージを生成する方法、サーバ並びにデバイスを提供することを目的とする。また、ウェブページのウィッシュリストに入れておいた商品をモバイルを通じて購入又はプレゼントできるサービスを提供することにより、ウェブページと連動されたチャットメッセージを通じて商品の購入を誘導するウェブページの商品情報に対応するチャットメッセージを生成する方法、サーバ並びにデバイスを提供することを目的とする。但し、本実施例が達成しようとする技術的課題は、上記したような技術的課題に限定されるものではなく、他の技術的課題が存在し得る。
【課題を解決するための手段】
【０００５】
上述した技術的課題を解決するための技術的手段として、本発明の一実施例は、サーバにおいて、デバイス又はウェブサーバから受信した要請に基づき、デバイスのウェブページ上に表示された識別子に対する選択を認識するステップと、要請に基づいてウェブページの商品情報及び選択と関連したユーザのアカウント情報を取得するステップと、アカウント情報に基づき、サーバのアカウントとユーザのアカウントとの間でチャットセッションを活性化するステップと、商品情報に対応するチャットメッセージを生成するステップと、チャットセッションを通じてチャットメッセージをデバイスに提供するステップと、を含むチャットメッセージ生成方法を提供する。
【０００６】
本発明の他の実施例は、デバイス又はウェブサーバから受信した要請に基づき、デバイスのウェブページ上に表示された識別子に対する選択を認識する識別子選択認識部と、要請に基づいてウェブページの商品情報及び選択と関連したユーザのアカウント情報を取得するアカウント情報取得部と、アカウント情報に基づき、サーバのアカウントとユーザのアカウントとの間でチャットセッションを活性化するチャットセッション活性化部と、商品情報に対応するチャットメッセージを生成するチャットメッセージ生成部と、チャットセッションを通じてチャットメッセージをデバイスに提供するチャットメッセージ提供部と、を含むサーバを提供する。
【０００７】
本発明のさらに他の実施例は、外部デバイスのウェブページ上に表示された識別子が選択される場合、ウェブページの商品情報に対応するチャットメッセージを受信するチャットメッセージ受信部と、チャットメッセージをチャット領域に表示するチャット領域表示部と、チャットメッセージに関するユーザの入力を受信するユーザ入力受信部と、ユーザの入力に対応して商品情報を含むウィッシュリストをウィッシュリスト領域に表示するウィッシュリスト領域表示部と、を含むデバイスを提供する。
【０００８】
上述した課題を解決するための手段は単なる例示であり、本発明を制限する意図で解釈されてはならない。上述した例示的な実施例の他にも、図面及び発明の詳細な説明に記載された追加の実施例が存在し得る。
【発明の効果】
【０００９】
上述した本発明の課題を解決するための手段の何れかによれば、ウェブページの商品情報をチャットメッセージを通じてユーザデバイスに提供することにより、ウェブショッピングとモバイルショッピングとを連動させることのできるウェブページの商品情報に対応するチャットメッセージを生成する方法、サーバ並びにデバイスを提供することができる。それぞれのウェブページに関する商品情報をチャットメッセージを用いてアプリケーションのウィッシュリストにて統合管理できるチャットメッセージを生成する方法、サーバ並びにデバイスを提供することができる。また、ウェブページのウィッシュリストに入れておいた商品をモバイルを通じて購入又はプレゼントできるサービスを提供することにより、ウェブページと連動されたチャットメッセージを通じて商品の購入を誘導するウェブページの商品情報に対応するチャットメッセージを生成する方法、サーバ並びにデバイスを提供することができる。
【図面の簡単な説明】
【００１０】
【図１】本発明の一実施例に係るチャットシステムの構成図である。
【図２】本発明の一実施例に係るウィッシュリストサーバの構成図である。
【図３ａ】本発明の一実施例に係るチャットシステムにおいて、ウェブページの商品情報に対応するチャットメッセージを生成及び受信する過程を説明するためのフローチャートである。
【図３ｂ】本発明の一実施例に係るチャットシステムにおいて、ウェブページの商品情報に対応するチャットメッセージを生成及び受信する過程を説明するためのフローチャートである。
【図４ａ】本発明の一実施例に係るウィッシュリストサーバにおいて、チャットメッセージを生成する過程を説明するための図である。
【図４ｂ】本発明の一実施例に係るウィッシュリストサーバにおいて、チャットメッセージを生成する過程を説明するための図である。
【図４ｃ】本発明の一実施例に係るウィッシュリストサーバにおいて、チャットメッセージを生成する過程を説明するための図である。
【図４ｄ】本発明の一実施例に係るウィッシュリストサーバにおいて、チャットメッセージを生成する過程を説明するための図である。
【図４ｅ】本発明の一実施例に係るウィッシュリストサーバにおいて、チャットメッセージを生成する過程を説明するための図である。
【図５】本発明の一実施例に係るデバイスの構成図である。
【図６ａ】本発明の一実施例に係るデバイスにおいて、チャットメッセージを受信してウィッシュリストを表示及び決済する過程を説明するための図である。
【図６ｂ】本発明の一実施例に係るデバイスにおいて、チャットメッセージを受信してウィッシュリストを表示及び決済する過程を説明するための図である。
【図６ｃ】本発明の一実施例に係るデバイスにおいて、チャットメッセージを受信してウィッシュリストを表示及び決済する過程を説明するための図である。
【図６ｄ】本発明の一実施例に係るデバイスにおいて、チャットメッセージを受信してウィッシュリストを表示及び決済する過程を説明するための図である。
【図６ｅ】本発明の一実施例に係るデバイスにおいて、チャットメッセージを受信してウィッシュリストを表示及び決済する過程を説明するための図である。
【図６ｆ】本発明の一実施例に係るデバイスにおいて、チャットメッセージを受信してウィッシュリストを表示及び決済する過程を説明するための図である。
【図６ｇ】本発明の一実施例に係るデバイスにおいて、チャットメッセージを受信してウィッシュリストを表示及び決済する過程を説明するための図である。
【図７ａ】本発明の一実施例に係るユーザの友達のデバイスにウィッシュリストに関する情報を提供する過程を説明するための図である。
【図７ｂ】本発明の一実施例に係るユーザの友達のデバイスにウィッシュリストに関する情報を提供する過程を説明するための図である。
【図７ｃ】本発明の一実施例に係るユーザの友達のデバイスにウィッシュリストに関する情報を提供する過程を説明するための図である。
【図８ａ】本発明の一実施例に係るユーザがチャットメッセージを通じてユーザの友達にウィッシュリストに含まれた商品をプレゼントする過程を説明するための図である。
【図８ｂ】本発明の一実施例に係るユーザがチャットメッセージを通じてユーザの友達にウィッシュリストに含まれた商品をプレゼントする過程を説明するための図である。
【図８ｃ】本発明の一実施例に係るユーザがチャットメッセージを通じてユーザの友達にウィッシュリストに含まれた商品をプレゼントする過程を説明するための図である。
【図８ｄ】本発明の一実施例に係るユーザがチャットメッセージを通じてユーザの友達にウィッシュリストに含まれた商品をプレゼントする過程を説明するための図である。
【図８ｅ】本発明の一実施例に係るユーザがチャットメッセージを通じてユーザの友達にウィッシュリストに含まれた商品をプレゼントする過程を説明するための図である。
【図８ｆ】本発明の一実施例に係るユーザがチャットメッセージを通じてユーザの友達にウィッシュリストに含まれた商品をプレゼントする過程を説明するための図である。
【図８ｇ】本発明の一実施例に係るユーザがチャットメッセージを通じてユーザの友達にウィッシュリストに含まれた商品をプレゼントする過程を説明するための図である。
【図８ｈ】本発明の一実施例に係るユーザがチャットメッセージを通じてユーザの友達にウィッシュリストに含まれた商品をプレゼントする過程を説明するための図である。
【図９】本発明の一実施例に係るサーバにおいて、チャットメッセージ生成方法を示すフローチャートである。
【発明を実施するための形態】
【００１１】
以下では、添付した図面を参照しながら、本発明の属する技術分野において通常の知識を有する者が容易に実施できるように本発明の実施例を詳しく説明する。ところが、本発明は様々な異なる形態で具現されることができ、ここで説明する実施例に限定されるものではない。
【００１２】
図１は、本発明の一実施例に係るチャットシステムの構成図である。図１を参照すると、チャットシステム１は、サーバ１１０及び１２０と、デバイス１３０乃至１４０と、を含む。ここで、ウィッシュリストサーバ１１０とチャットサーバ１２０とは、互いに離れた位置又は空間に位置していても良く、何れも同一のサーバ１００内に含まれていても良い。
【００１３】
かかる図１のチャットシステム１は本発明の一実施例に過ぎないので、図１により本発明が限定解釈されることはない。即ち、本発明の様々な実施例によると、チャットシステム１は、図１とは異なるように構成されることもあり得る。また、以下では、説明の便宜性のために、デバイス１３０を第１のデバイス１３０と、デバイス１４０を第２のデバイス１４０とそれぞれ表現する。
【００１４】
チャットシステム１を構成する図１の各構成要素は、一般的にネットワーク（ｎｅｔｗｏｒｋ）を通じて連結される。例えば、図１に示すように、第１のデバイス１３０及び第２のデバイス１４０は、ネットワークを通じてウィッシュリストサーバ１１０及びチャットサーバ１２０に連結される。
【００１５】
ネットワークは、端末及びサーバのようなそれぞれのノードの相互間に情報交換が可能な連結構造を意味するものであり、かかるネットワーク（ｎｅｔｗｏｒｋ）の一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（Ｂｌｕｅｔｏｏｔｈ（登録商標））ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限定されるものではない。
【００１６】
図１における第１のデバイス１３０及び第２のデバイス１４０のそれぞれは、サーバ１１０及び１２０と第１のネットワークを通じて通信し、第１のデバイス１３０及び第２のデバイス１４０は、互いに第２のネットワークを通じて直接通信する。このとき、第１のネットワークは広帯域ネットワークであり、第２のネットワークは近距離ネットワークであり得る。広帯域ネットワークの一例はＬＴＥネットワークであり、近距離ネットワークの一例はＷｉｒｅｌｅｓｓ  ＬＡＮである。
【００１７】
ウィッシュリストサーバ１１０は、第１のデバイス１３０又はウェブサーバから受信した要請に基づき、デバイス１３０のウェブページ上に表示された識別子に対する選択を認識する。このとき、ウェブサーバは複数のオンラインショッピングモールのサーバであり、ウェブページ上に表示された識別子はウィッシュリスト識別子であり得る。
【００１８】
本発明の一実施例によると、サーバ１００は、デバイス１３０又はウェブサーバから受信した要請に基づき、デバイス１３０のウェブページ上に表示された識別子に対する選択を認識する。このとき、識別子はウィッシュリスト識別子であり得る。一例として、ウィッシュリスト識別子は、アイコンの形態で「カートに入れる」、「直ぐに購入」、「お気に入りに追加」と共にウェブページに表示される。また、サーバ１００は、ウィッシュリストサーバ１１０であり得る。
【００１９】
本発明の一実施例によると、ウィッシュリストサーバ１１０は、デバイス１３０又はウェブサーバから受信した要請に基づいてウェブページの商品情報及び選択と関連したユーザのアカウント情報を取得する。このとき、商品情報又はアカウント情報は、デバイス１３０及び１４０又はウェブページに対応するブックマーク情報やツールバーに基づいて取得され得る。ウェブページの商品情報は、例えば、商品のイメージ、商品名、販売先、及び価格などを含み、ユーザアカウント情報は、例えば、ユーザのＩＤ、電話番号、電子メールアドレスなどを含む。ウィッシュリストサーバ１１０は、ユーザのアカウント情報を取得した後、アカウント情報に基づいて商品情報をユーザのウィッシュリストに追加する。
【００２０】
本発明の一実施例によると、ウィッシュリストサーバ１１０は、取得したアカウント情報に基づき、サーバのアカウントとユーザのアカウントとの間でチャットセッションを活性化する。このとき、ウィッシュリストサーバ１１０は、サーバのアカウント及びユーザのアカウント情報を含むチャットセッション活性化要請をチャットサーバ１２０に送信することによって、チャットセッションを活性化する。ウィッシュリストサーバ１１０がチャットセッションを活性化する一例を説明すると、ウィッシュリストサーバ１１０は、チャットセッションを活性化するために、チャットサーバ１２０を通じて第２のデバイス１４０に所定の認証番号を送信し、第２のデバイス１４０に送信された認証番号を、第１のデバイス１３０から入力を受けることによって、ユーザアカウント情報を確認することができる。
【００２１】
本発明の一実施例によると、ウィッシュリストサーバ１１０は、商品情報に対応するチャットメッセージを生成する。例えば、ウィッシュリストサーバ１１０は、第１のデバイス１３０の第１のウェブページ上に表示された識別子に対する選択を認識した場合、第１のチャットメッセージを生成する。また、ウィッシュリストサーバ１１０は、第１のデバイス１３０の第２のウェブページ上に表示された識別子に対する選択を認識した場合、第２のチャットメッセージを生成する。このとき、チャットメッセージは、第１のデバイス１３０から入力したテキストを含み得る。例えば、ウィッシュリストサーバ１１０は、第１のデバイス１３０から入力を受けた『本当に読みたかった本です。』のようなテキストをチャットメッセージに含ませる。
【００２２】
本発明の一実施例によると、ウィッシュリストサーバ１１０は、チャットセッションを通じてチャットメッセージを第２のデバイス１４０に提供する。このとき、チャットセッションは、チャットルーム、チャットウィンドウ、又はチャット画面を意味し得る。また、ウィッシュリストサーバ１１０は、チャットサーバ１２０を通じてチャットメッセージを第２のデバイス１４０のチャットアプリケーションに提供する。ウィッシュリストサーバ１１０は、チャットメッセージを第２のデバイス１４０に提供した後、提供したチャットメッセージが第２のデバイス１４０によって選択される場合、ウィッシュリストに関する情報を第２のデバイス１４０に提供する。このとき、ウィッシュリストに関する情報は、ユーザ又はユーザの友達の要請に対応してユーザの友達のデバイスに提供される。ウィッシュリストに関する情報は、例えば、商品のイメージ、商品名、販売先、及び価格などを含む。
【００２３】
本発明の一実施例によると、ウィッシュリストサーバ１１０は、チャットメッセージを第２のデバイス１４０に提供した後、商品情報に関する決済要請を受信すると、決済と関連したチャットメッセージを生成し、生成されたチャットメッセージをチャットサーバ１２０を通じて第２のデバイス１４０に送信する。このとき、ウィッシュリストサーバ１１０は、第２のデバイス１４０から決済要請を受信すると、注文書作成ページ及び決済ページなどを第２のデバイス１４０に提供し、決済が完了すると、ウィッシュリストサーバ１１０は、『決済が正常に処理されました。』のような決済と関連したチャットメッセージを第２のデバイス１４０に提供する。
【００２４】
本発明の他の実施例によると、ウィッシュリストサーバ１１０は、お勧めメッセージを生成する。このとき、お勧めメッセージは、第２のデバイス１４０からウィッシュリストに追加された商品を友達のデバイス（未図示）にお勧めするためのものであり、ウィッシュリストサーバ１１０が第２のデバイス１４０から『この本、面白いです。お勧めします。』のようなテキストの入力を受けると、ウィッシュリストサーバ１１０は、受信したテキストをお勧めメッセージとして生成し、チャットサーバ１２０を通じて友達のデバイス（未図示）に送信する。
【００２５】
本発明の一実施例によると、チャットサーバ１２０は、ウィッシュリストサーバ１１０と第２のデバイス１４０との間のチャットメッセージを送受信する。例えば、チャットサーバ１２０は、第１のチャットメッセージをウィッシュリストサーバ１１０から受信し、第２のデバイス１４０へ送信する。また、チャットサーバ１２０は、第１のチャットメッセージを第２のデバイス１４０へ送信した後、第２のチャットメッセージをウィッシュリストサーバ１１０から受信し、第２のデバイス１４０へ送信する。
【００２６】
本発明の一実施例によると、第１のデバイス１３０は、ユーザからウェブページに表示された識別子の入力を受け、入力された識別子をウィッシュリストサーバ１１０へ送信する。このとき、ウェブページは、第１のウェブページであり得る。また、第１のデバイス１３０は、第１のウェブページに関する識別子をウィッシュリストサーバ１１０へ送信した後、ユーザから第２のウェブページに表示された識別子の入力を受け、第２のウェブページに関する識別子をウィッシュリストサーバ１１０へ送信する。
【００２７】
本発明の一実施例によると、第１のデバイス１３０は、ユーザからユーザアカウント情報の入力を受け、ウィッシュリストサーバ１１０へ送信する。このとき、第１のデバイス１３０は、ユーザアカウント情報を入力するポップアップウィンドウをディスプレイに表示し、ユーザからＩＤ、電話番号、電子メールアドレスなどのユーザアカウント情報の入力を受けた後、ウィッシュリストサーバ１１０へ送信する。
【００２８】
本発明の一実施例によると、第２のデバイス１４０は、第１のデバイス１３０のウェブページ上に表示された識別子が選択される場合、ウェブページの商品情報に対応するチャットメッセージを受信し、受信したチャットメッセージをチャット領域に表示する。このとき、チャット領域は、ウィッシュリストサーバ１１０のアカウントと関連して生成されたものであり得る。例えば、第２のデバイス１４０がウィッシュリストサーバ１１０から複数のチャットメッセージを受信した場合、第２のデバイス１４０は、複数のチャットメッセージをチャット領域に共に表示する。
【００２９】
本発明の一実施例によると、第２のデバイス１４０は、チャットメッセージに関するユーザの入力を受信する。このとき、チャットメッセージに関するユーザの入力は、ユーザインターフェースを通じた所定のタッチ入力又は数秒間のタッチ入力であり得る。
【００３０】
本発明の一実施例によると、第２のデバイス１４０は、ユーザの入力に対応して商品情報を含むウィッシュリストをウィッシュリスト領域に表示する。このとき、商品情報は、商品名、商品のイメージ、販売先、価格などを含み得る。
【００３１】
かかる第１のデバイス１３０は、携帯性と移動性が保障される無線通信装置として、ノートパンコン（ｎｏｔｅｂｏｏｋ）、ネットブック（Ｎｅｔｂｏｏｋ）、ウルトラブック（ＵｌｔｒａＢｏｏｋ）、サーブノートパンコン（ＳｕｂＮｏｔｅｂｏｏｋ）、デスクノート（ＤｅｓｋＮｏｔｅ）、ＵＭＰＣ（Ｕｌｔｒａ−Ｍｏｂｉｌｅ  ＰＣ）などのような全ての種類の携帯用ＰＣを含み得る。第２のデバイス１４０の一例は、携帯性と移動性が保障される無線通信装置として、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォーン（ｓｍａｒｔ  ｐｈｏｎｅ）のような携帯性と移動性が保障される無線通信装置１４１である。また、第２のデバイス１４０の一例には、スマートパッド（ｓｍａｒｔ  ｐａｄ）、タブレットＰＣ（Ｔａｂｌｅｔ  ＰＣ）などのような全ての種類のハンドヘルド（Ｈａｎｄｈｅｌｄ）ベースの無線通信装置１４２が含まれる。
【００３２】
図２は、本発明の一実施例に係るウィッシュリストサーバの構成図である。図２を参照すると、ウィッシュリストサーバ１１０は、識別子選択認識部２１０と、アカウント情報取得部２２０と、チャットセッション活性化部２３０と、チャットメッセージ生成部２４０と、チャットメッセージ提供部２５０と、を含む。
【００３３】
識別子選択認識部２１０は、デバイス又はウェブサーバから受信した要請に基づき、デバイスのウェブページ上に表示された識別子に対する選択を認識する。このとき、デバイスは第１のデバイス１３０であり、ウェブサーバはそれぞれ異なる商品を提供する複数のオンラインショッピングモールのサーバであり得る。第１のデバイス１３０にディスプレイされたウェブページは第１のウェブページであり、識別子はウィッシュリスト識別子であり得る。このとき、識別子は、ウェブページの上にアイコン形式で表示されても良く、ブックマーク又はツールバーの形式で表示されても良い。
【００３４】
例えば、識別子選択認識部２１０は、第１のデバイス１３０又はウェブサーバから受信した要請に基づき、第１のデバイス１３０の第１のウェブページ上に表示された識別子に対する選択を認識する。他の例として、識別子選択認識部２１０は、第１のチャットメッセージが第２のデバイス１４０に提供された後、第１のデバイス１３０の第２のウェブページ上に表示された識別子に対する選択を認識する。このとき、第１のウェブページ及び第２のウェブページは、「アマゾン」サイト内において、「ザ・シークレット」のウェブページと「星の王子さま」のウェブページのように同サイト内で互いに異なる商品が位置した商品のウェブページを示し得る。あるいは、第１のウェブページ及び第２のウェブページは、「アマゾン」の第１のウェブページと「イーベイ」の第２のウェブページのように互いに異なるサイトのウェブページを示すこともあり得る。
【００３５】
アカウント情報取得部２２０は、要請に基づいてウェブページの商品情報及び選択と関連したユーザのアカウント情報を取得する。このとき、ウェブページは第１のウェブページであり、商品情報は第１の商品情報であり、商品情報又はアカウント情報は、第１のデバイス１３０又はウェブページに対応するブックマーク情報やツールバーに基づいて取得され得る。一例として、デバイス１３０においてウェブページを表示するウェブアプリケーション又はウェブアプリケーションに含まれた所定のソフトウェアは、ウェブページの識別子が選択されると、現在のウェブページに対するブックマーク情報を生成し、アカウント情報取得部２２０は、ウェブアプリケーション又はデバイス１３０からブックマーク情報を受信する。この場合、アカウント情報取得部２２０は、ブックマーク情報を通じて前記ウェブページの商品情報を取得することができる。例えば、アカウント情報取得部２２０は、ブックマーク情報に含まれたＵＲＬ（Ｕｎｉｆｏｒｍ  Ｒｅｓｏｕｒｃｅ  Ｌｏｃａｔｏｒ）を通じて当該ウェブページにアクセスし、商品情報を抽出する。他の例として、アカウント情報取得部２２０は、商品情報を含むブックマーク情報から直接商品情報を抽出することもできる。このとき、ソフトウェアはツールバーソフトウェアであり得る。
【００３６】
他の例として、デバイス１３０においてウェブページを表示するウェブアプリケーション又はウェブアプリケーションに含まれた所定のソフトウェア（例えば、ツールバーソフトウェア）は、ウェブページの識別子が選択されると、ツールバー機能によりウェブページの商品情報及びユーザアカウント情報のうち少なくとも１つ以上を取得し、アカウント情報取得部２２０は、ウェブアプリケーション又はデバイス１３０からウェブページの商品情報及びユーザアカウント情報のうち少なくとも１つ以上を受信する。
【００３７】
ユーザのアカウント情報は、例えば、ＩＤ、電話番号、電子メールアドレスなどを含む。アカウント情報取得部２２０は、第１のデバイス１３０のユーザからユーザのアカウント情報の入力を受けると、認証番号を第２のデバイス１４０へ送信する。ユーザは、第２のデバイス１４０から受信した認証番号を第１のデバイス１３０に表示されたテキスト入力ウィンドウに入力し、アカウント情報取得部２２０は、第１のデバイス１３０から取得した認証番号を通じてユーザのアカウント情報が有効であるか否かを確認することができる。このとき、第１のデバイス１３０及び第２のデバイス１４０のユーザは、同一のユーザであり得る。
【００３８】
また、アカウント情報取得部２２０は、取得したユーザのアカウント情報に基づいて商品情報をユーザのウィッシュリストに追加する。例えば、ユーザがオンライン書店の『ザ・シークレット』のウェブページ上に表示された識別子であるウィッシュリストのアイコンを選択した場合、アカウント情報取得部２２０は、取得したユーザのアカウント情報に基づき、ウェブページで選択された『ザ・シークレット』と関連した商品情報をユーザのウィッシュリストに追加する。
【００３９】
チャットセッション活性化部２３０は、ユーザのアカウント情報に基づき、サーバのアカウントとユーザのアカウントとの間でチャットセッションを活性化する。このとき、チャットセッション活性化部２３０は、ウェブページを提供するサーバのアカウント及びユーザのアカウント情報を含むチャットセッション活性化要請をチャットサーバ１２０へ送信することによって、チャットセッションを活性化することができる。
【００４０】
チャットメッセージ生成部２４０は、商品情報に対応するチャットメッセージを生成する。チャットメッセージ生成部２４０は、例えば、『カカオカートに［ザ・シークレット−アマゾン］が追加されました。』のような第１のチャットメッセージを生成する。また、チャットメッセージ生成部２４０は、第１のチャットメッセージが第２のデバイス１４０に提供された後、第１のデバイス１３０の第２のウェブページ上に表示された識別子に対する選択が認識された場合、第２のウェブページの第２の商品情報に対応する第２のチャットメッセージを生成する。チャットメッセージ生成部２４０は、例えば、『カカオカートに［香水−アマゾン］が追加されました。』のような第２のチャットメッセージを生成する。
【００４１】
また、チャットメッセージ生成部２４０は、第１のデバイス１３０から入力されたテキストを含むチャットメッセージを生成する。例えば、第１のデバイス１３０から『本当に読みたかった本です。』のような商品に関するテキストを受信した場合、チャットメッセージ生成部２４０は、受信したテキストを含むチャットメッセージを生成する。
【００４２】
また、チャットメッセージ生成部２４０は、チャットメッセージ提供部２５０からチャットメッセージを第２のデバイス１４０に提供した後、商品情報に関する決済要請が受信されると、決済と関連したチャットメッセージを生成する。例えば、チャットメッセージ生成部２４０は、『決済が正常に処理されました。』のような決済と関連したチャットメッセージを生成する。このとき、決済と関連したチャットメッセージは、決済手段情報及びユーザの氏名、電話番号、電子メールアドレスなどを含む注文顧客情報などを含み得る。
【００４３】
チャットメッセージ提供部２５０は、チャットセッションを通じてチャットメッセージをデバイスに提供する。このとき、デバイスは第２のデバイス１４０であり、チャットメッセージ提供部２５０は、チャットメッセージを第２のデバイス１４０のチャットアプリケーションに提供する。例えば、チャットメッセージ提供部２５０は、提供したチャットメッセージが第２のデバイス１４０により選択される場合、ウィッシュリストに関する情報を第２のデバイス１４０に提供する。このとき、ウィッシュリストに関する情報は、ユーザのウィッシュリストに関する情報及びユーザの友達のウィッシュリストに関する情報を含み、ユーザ又はユーザの友達の要請に対応してユーザの友達のデバイスに提供されることもあり得る。
【００４４】
また、チャットメッセージ提供部２５０は、第１のチャットメッセージを第２のデバイス１４０に提供した後、識別子選択認識部２１０において第１のデバイス１３０の第２のウェブページ上に表示された識別子に対する選択を認識した場合、第２のウェブページの第２の商品情報に対応する第２のチャットメッセージを第２のデバイス１４０に提供する。
【００４５】
また、チャットメッセージ提供部２５０は、チャットメッセージを第２のデバイス１４０に提供した後、チャットメッセージ生成部２４０で生成した決済と関連したチャットメッセージを第２のデバイス１４０へ送信する。
【００４６】
図３ａ及び図３ｂは、本発明の一実施例に係るチャットシステムにおいて、ウェブページの商品情報に対応するチャットメッセージを生成及び受信する過程を説明するためのフローチャートである。図３ａ及び図３ｂを参照すると、第１のデバイス１３０は、ユーザからウェブページ上に表示された識別子に対する選択の入力を受信し（Ｓ３１０）、当該識別子をウィッシュリストサーバ１１０へ送信する（Ｓ３１１）。ウィッシュリストサーバ１１０は、第１のデバイス１３０のウェブページ上に表示された識別子に対する選択を認識する（Ｓ３１２）。このとき、ウィッシュリストサーバ１１０は、ウェブページ商品情報及び選択と関連したユーザアカウント情報を取得し（Ｓ３１３）、商品情報をユーザアカウント情報と連動されたウィッシュリストに追加する（Ｓ３１４）。ウィッシュリストサーバ１１０は、チャットセッション活性化をチャットサーバ１２０に要請する（Ｓ３１５）。チャットサーバ１２０は、ウィッシュリストサーバ１１０のアカウントとユーザのアカウントとの間でチャットセッションを活性化する（Ｓ３１６）。ウィッシュリストサーバ１１０は、チャットメッセージを生成し（Ｓ３１７）、活性化されたチャットセッションを通じてチャットメッセージをチャットサーバ１２０に提供する（Ｓ３１８）。チャットサーバ１２０は、チャットメッセージを第２のデバイス１４０に伝達し（Ｓ３１９）、第２のデバイス１４０は、チャットメッセージをディスプレイに表示する（Ｓ３２０）。第２のデバイス１４０がユーザからチャットメッセージに対する選択の入力を受信すると（Ｓ３２１）、第２のデバイス１４０は、当該チャットメッセージと関連したウィッシュリストに関する情報をチャットサーバ１２０に要請する（Ｓ３２２）。チャットサーバ１２０は、ウィッシュリストに関する情報の要請をウィッシュリストサーバ１１０に伝達し（Ｓ３２３）、ウィッシュリストサーバ１１０は、ウィッシュリストに関する情報をチャットサーバ１２０へ送信する（Ｓ３２４）。チャットサーバ１２０は、ウィッシュリストに関する情報を第２のデバイス１４０に伝達する（Ｓ３２５）。第２のデバイス１４０は、ウィッシュリストに関する情報をディスプレイに表示し（Ｓ３２６）、ユーザから商品情報に関する決済要請の入力を受信する（Ｓ３２７）。第２のデバイス１４０は、商品情報に関する決済をチャットサーバ１２０に要請し（Ｓ３２８）、チャットサーバ１２０は、商品情報に関する決済要請をウィッシュリストサーバ１１０に伝達する（Ｓ３２９）。ウィッシュリストサーバ１１０は、決済と関連したチャットメッセージを生成し（Ｓ３３０）、決済と関連したチャットメッセージをチャットサーバ１２０へ送信する（Ｓ３３１）。チャットサーバ１２０は、決済と関連したチャットメッセージを第２のデバイス１４０に伝達し（Ｓ３３２）、第２のデバイス１４０は、決済と関連したチャットメッセージをディスプレイに表示する（Ｓ３３３）。
【００４７】
上述した説明において、ステップＳ３１０乃至Ｓ３３３は、本発明の具現例により、追加のステップにさらに分割されるか、より少ないステップに組み合わせられ得る。また、一部のステップは必要に応じて省略されても良く、ステップ間の順序が変更されても良い。
【００４８】
図４ａ乃至図４ｅは、本発明の一実施例に係るウィッシュリストサーバにおいて、チャットメッセージを生成する過程を説明するための図である。
【００４９】
図４ａは、第１のデバイス１３０のユーザがウェブページ上に表示された識別子を選択する過程を説明するための図である。図４ａを参照すると、第１のデバイス１３０のユーザが「アマゾン」ウェブサイトで「ザ・シークレット（ｓｅｃｒｅｔ）」という商品をウィッシュリストに追加しようとする場合、第１のデバイス１３０のユーザは、当該ウェブページに表示されたウィッシュリスト識別子４１０を選択することによって当該商品をウィッシュリストに追加することができる。このとき、ウィッシュリスト識別子４１０は、アイコンの形態で当該ウェブページ上に「カートに入れる」、「直ぐに購入」、「お気に入りに追加」と共に表示され得る。
【００５０】
図４ｂは、ウェブページのユーザのアカウント情報を取得する過程を説明するための図である。図４ｂを参照すると、第１のデバイス１３０のユーザがウェブページ上に表示された識別子を選択すると、ウィッシュリストサーバ１１０は、ユーザのアカウント情報を第１のデバイス１３０に要請する。このとき、ウィッシュリストサーバ１１０は、ユーザのアカウント情報を取得するために、ユーザのＩＤ、電話番号、電子メールアドレスなどを第１のデバイス１３０に要請する。
【００５１】
第１のデバイス１３０は、ユーザのＩＤ又はユーザの電話番号の入力を受けるために、ユーザ認証ポップアップ４２０をディスプレイに表示する。ユーザ認証ポップアップ４２０は、ユーザのＩＤ又は電話番号が入力できる入力ウィンドウ４２１と、認証番号を第２のデバイス１４０へ送信させる認証番号要請ボタン４２２を含み得る。例えば、第１のデバイス１３０のユーザが「アマゾン」の「ザ・シークレット」というウェブページで当該商品をウィッシュリストに追加した場合、第１のデバイス１３０は、ディスプレイにユーザ認証ポップアップ４２０を表示し、ユーザからＩＤ又は電話番号の入力を受ける。このとき、第１のデバイス１３０のユーザは、テキスト入力ウィンドウ４２１にユーザのＩＤである『Ｔｏｍ』を入力し、認証番号要請ボタン４２２をクリックする。
【００５２】
図４ｃは、ユーザアカウント情報に基づき、ウィッシュリストサーバ１１０のアカウントとユーザのアカウントとの間でチャットセッションを活性化する過程を説明するための図である。図４ｃを参照すると、ウィッシュリストサーバ１１０は、ユーザのアカウント情報を確認して、チャットセッションを活性化するために、第２のデバイス１４０には認証番号を送信し、第１のデバイス１３０には第２のデバイス１４０へ送信された認証番号の入力を要請する。
【００５３】
例えば、ウィッシュリストサーバ１１０が第２のデバイス１４０へ認証番号を送信した場合、第２のデバイス１４０は、ウィッシュリストチャットウィンドウ４３０を生成し、『カカオカートの認証番号［７８７９］』のような認証番号を含むチャットメッセージ４３１をディスプレイに表示する。このとき、第１のデバイス１３０は、ウィッシュリストサーバ１１０から認証番号入力要請信号を受信し、『カカオカート認証』のような認証番号ポップアップウィンドウ４４０をディスプレイに表示する。認証番号ポップアップウィンドウ４４０は、『カカオカートの認証番号を入力して下さい。』というメッセージと共に認証番号入力ウィンドウ４４１、認証ボタン４４２、及び再送信ボタン４４３を含み得る。例えば、第２のデバイス１４０で受信した認証番号が「７８７９」である場合、第１のデバイス１３０のユーザは、認証番号ポップアップウィンドウ４４０の認証番号入力ウィンドウ４４１に「７８７９」という認証番号を入力し、「カカオカート認証」のような認証ボタン４４２をクリックする。他の例として、第１のデバイス１３０のユーザは、第２のデバイス１４０がウィッシュリストサーバ１１０から認証番号を受信できなかった場合、あるいは認証番号の送信速度が遅い場合に、再送信ボタン４４３をクリックすることで認証番号の送信をウィッシュリストサーバ１１０へ再要請することができる。
【００５４】
図４ｄは、第１のデバイスのユーザが商品に関するメッセージを入力する過程を説明するための図である。図４ｄを参照すると、第１のデバイス１３０は、ウェブページに表示された商品に関するテキストを入力する。このとき、第１のデバイス１３０は、テキストポップアップウィンドウ４５０をディスプレイに表示する。テキストポップアップウィンドウ４５０は、『商品について簡単なメッセージを入力して下さい。』のようなメッセージと共に、テキスト入力ウィンドウ４５１及び入力ボタン４５２を含み得る。例えば、第１のデバイス１３０のユーザは、テキスト入力ウィンドウ４５１に『本当に読みたかった本です。』のようなテキストを入力してから入力ボタン４５２をクリックすると、第１のデバイス１３０は、入力されたテキストをウィッシュリストサーバ１１０へ送信する。ウィッシュリストサーバ１１０は、当該テキストを第１のデバイス１３０から受信し、チャットメッセージに含ませる。
【００５５】
図４ｅは、ウィッシュリストサーバ１１０が第１のデバイスで選択された商品をウィッシュリストに追加する過程を説明するための図である。図４ｅを参照すると、第１のデバイス１３０で入力されたテキストのウィッシュリストサーバ１１０への送信が完了すると、第１のデバイス１３０は、ウィッシュリスト通知ウィンドウ４６０をディスプレイに表示する。このとき、ウィッシュリスト通知ウィンドウ４６０は、『完了しました。追加した商品はカカオトークのホーム−カカオカートで確認することができます。』のような通知メッセージ４６１を含み得る。
【００５６】
また、第１のデバイス１３０で入力されたテキストのウィッシュリストサーバ１１０への送信が完了すると、ウィッシュリストサーバ１１０は、第１のデバイス１３０で選択された商品がウィッシュリストに追加されたことを知らせるチャットメッセージ４７１を第２のデバイス１３０へ送信する。例えば、第２のデバイス１４０は、ウィッシュリストサーバ１１０から『カカオカートに［ザ・シークレット（ｓｅｃｒｅｔ）−アマゾン］が追加されました。』のようなチャットメッセージ４７１を 受信し, チャットメッセージ４７１を生成されたチャットウィンドウ４７０に 表示する。
【００５７】
図５は、本発明の一実施例に係るデバイスの構成図である。図５を参照すると、デバイスは第２のデバイス１４０であり、第２のデバイス１４０は、チャットメッセージ受信部５１０と、チャット領域表示部５２０と、ユーザ入力受信部５３０と、ウィッシュリスト領域表示部５４０とを含む。
【００５８】
チャットメッセージ受信部５１０は、外部デバイスのウェブページ上に表示された識別子が選択される場合、ウェブページの商品情報に対応するチャットメッセージを受信する。チャットメッセージは、ウィッシュリストサーバ１１０によって生成され、チャットサーバ１２０を通じてウィッシュリストサーバ１１０から第２のデバイス１４０に伝達されたものであり得る。このとき、外部デバイスは第１のデバイス１３０であり、ウェブページは第１のウェブページであり、商品情報は第１の商品情報であり、チャットメッセージは第１のチャットメッセージであり得る。例えば、チャットメッセージ受信部５１０は、「アマゾン（ａｍａｚｏｎ）」のウェブページから「ザ・シークレット（ｓｅｃｒｅｔ）」という商品情報を含むチャットメッセージをウィッシュリストサーバ１１０から受信する。
【００５９】
また、チャットメッセージ受信部５１０は、外部デバイスの第２のウェブページ上に表示された識別子が選択される場合、第２のウェブページの第２の商品情報に対応する第２のチャットメッセージを受信する。例えば、チャットメッセージ受信部５１０は、「イーベイ」のウェブページと「香水」という商品情報を含むチャットメッセージをウィッシュリストサーバ１１０から受信する。
【００６０】
チャット領域表示部５２０は、受信したチャットメッセージをチャット領域に表示する。このとき、チャット領域は、ウィッシュリストサーバ１１０のアカウントと関連して生成されたものであり得る。例えば、チャット領域表示部５２０は、『カカオカートに［ザ・シークレット−アマゾン］が追加されました。』のような第１のチャットメッセージを表示する。他の例として、チャット領域表示部５２０は、第１のデバイス１３０で入力したテキストである『本当に読みたかったのに、やっと出た！』のようなテキストを含む第１のチャットメッセージを表示する。
【００６１】
また、チャット領域表示部５２０は、第２のチャットメッセージをチャット領域に表示する。例えば、チャット領域表示部５２０は、『カカオカートに［香水−イーベイ］が追加されました。』のような第２のチャットメッセージをチャット領域に表示する。このとき、チャット領域表示部５２０は、第１のチャットメッセージと第２のチャットメッセージとを共に表示することもできる。
【００６２】
ユーザ入力受信部５３０は、チャットメッセージに関するユーザの入力を受信する。例えば、チャット領域表示部５２０において、チャットメッセージの下段に『確認する』又は『詳細情報を見る』のように特定テキストが表示されると、ユーザ入力受信部５３０は、ユーザから特定テキストに対する所定のタッチ（ｔｏｕｃｈ）入力を受信する。このとき、特定テキストは、ＵＲＬが連動されたテキストであり得る。
【００６３】
ウィッシュリスト領域表示部５４０は、ユーザの入力に対応して商品情報を含むウィッシュリストをウィッシュリスト領域に表示する。このとき、ユーザ入力受信部５３０がユーザから特定テキストに対する入力を受信すると、ウィッシュリスト領域表示部５４０は、特定テキストと連動したウィッシュリスト領域を表示する。例えば、ウィッシュリスト領域表示部５４０は、第１のチャットメッセージと関連した商品情報及び第２のチャットメッセージと関連した商品情報を含むウィッシュリストを表示する。このとき、商品情報は、商品名、商品のイメージ、商品の価格、商品の販売先などを含み得る。ウィッシュリスト領域表示部５４０は、第１のチャットメッセージと関連した商品名である「ザ・シークレット（ｓｅｃｒｅｔ）」、商品のイメージである「ザ・シークレットの表紙」、商品の価格である「＄１２」、商品の販売先である「アマゾン」などを表示する。また、ウィッシュリスト領域表示部５４０は、第２のチャットメッセージと関連した商品名である「香水」、商品のイメージである「香水のイメージ」、商品の価格である「７９，９００ウォン」、商品の販売先である「イーベイ」などを表示する。
【００６４】
図６ａ乃至図６ｇは、本発明の一実施例に係るデバイスにおいて、チャットメッセージを受信してウィッシュリストを表示及び決済する過程を説明するための図である。
【００６５】
図６ａは、第２のデバイス１４０で生成したチャットウィンドウ６００を示す図である。第２のデバイス１４０は、ウィッシュリストサーバ１１０から受信した認証番号メッセージ６０１及び第１のチャットメッセージ６０２をディスプレイに表示する。このとき、第２のデバイス１４０は、第１のチャットメッセージの下段に『確認する』のようなＵＲＬが連動された特定テキスト６０３を表示する。第２のデバイス１４０のユーザが特定テキスト６０３をタッチすると、第２のデバイス１４０は、連動されたＵＲＬを通じてウィッシュリストページをディスプレイに表示する。
【００６６】
図６ｂは、第２のデバイス１４０で表示されたウィッシュリストページを示す図である。図６ｂを参照すると、第２のデバイス１４０は、ウィッシュリストページを通じてユーザのウィッシュリスト６１０及びユーザの友達のウィッシュリスト６１１をディスプレイに表示する。ウィッシュリストページは、ユーザのウィッシュリスト６１０を『マイカート』にて表示し、友達のウィッシュリスト６１１は友達のＩＤ又はニックネームにて表示する。このとき、ウィッシュリストページは、ユーザ又は友達のウィッシュリストに追加された商品の個数を共に表示する。例えば、第２のデバイス１４０におけるユーザのウィッシュリストは『マイカート』に表示され、ウィッシュリストに追加された商品は『１個』と表示される。このとき、第２のデバイス１４０は、友達のＩＤ又はニックネームを「Ａｌｉｃｅ」、「Ｓａｒａ」、「Ｎｉｃｋ」、「Ｊｕｌｌｉｅ」、「Ｋｉｍ」などとウィッシュリストページに表示し、それぞれのウィッシュリストに追加された商品を「Ａｌｉｃｅ」のウィッシュリストに「２個」、「Ｓａｒａ」のウィッシュリストに「３個」、「Ｎｉｃｋ」のウィッシュリストに「２個」、「Ｊｕｌｌｉｅ」のウィッシュリストに「９個」、「Ｋｉｍ」のウィッシュリストに「２個」のように共に表示する。
【００６７】
図６ｃは、第２のデバイス１４０において、ユーザのウィッシュリスト目録をディスプレイに表示した図である。図６ｃを参照すると、第２のデバイス１４０がユーザからユーザのウィッシュリストに対する選択を受信した場合、第２のデバイス１４０は、ウィッシュリスト目録をディスプレイに表示する。このとき、ウィッシュリスト目録は、それぞれの商品に対するイメージ、商品名、販売先、価格などを含み得る。例えば、第２のデバイス１４０がユーザインターフェースを通じてウィッシュリストページに表示された「マイカート６２０」に対する選択を受信した場合、第２のデバイス１４０は、「マイカート６２０」に入れられたウィッシュリスト目録を表示する。このとき、「マイカート６２０」に入れられた商品が「１個」の場合、当該商品に関する情報６２１である『表紙』、『ザ・シークレット（ｓｅｃｒｅｔ）』、『アマゾン（ａｍａｚｏｎ）』、『＄２３．９５＄１１．９９』をディスプレイに表示する。
【００６８】
図６ｄは、ウィッシュリストに追加された商品と関連したページを表示した図である。図６ｄを参照すると、第２のデバイス１４０がユーザインターフェースからウィッシュリストに追加された商品に対する選択の入力を受けると、第２のデバイス１４０は、当該商品と関連したページ６３０をディスプレイに表示する。商品と関連したページ６３０は、商品のイメージ、商品名、販売先、価格、商品に関するメッセージ６３１、商品の公開設定有無６３２、直ぐに購入ボタン６３３、削除ボタン６３４などを含み得る。このとき、商品と関連したページ６３０に含まれた商品のイメージ、商品名、販売先、価格に関する情報は、図６ｃのウィッシュリスト目録の説明と同一であるので、省略することとする。
【００６９】
商品に関するメッセージ６３１は、第１のデバイス１３０のウェブページにおいてユーザから入力を受けた商品に関するメッセージであり、『本当に読みたかった本です。』のように表示される。
【００７０】
商品の公開設定有無６３２は、ユーザインターフェースから「友達設定」ボタンへの入力を受けた場合、ウィッシュリストに追加された商品を友達に公開するか、あるいは非公開にするかを設定する。例えば、第２のデバイス１４０のユーザがウィッシュリストに追加された商品を非公開に設定することによって、ウィッシュリストに入れられた商品を本人にのみ表示されるようにすることができる。また、第２のデバイス１４０のユーザがウィッシュリストに追加された商品を公開に設定することによって、ウィッシュリストに入れられた商品を本人及び友達に表示されるようにすることができる。ここで、ユーザがウィッシュリストに追加された商品を公開に設定する場合、ユーザは、友達全体にウィッシュリストに追加された商品を公開することができ、選択した友達にのみウィッシュリストに追加された商品を公開することもできる。
【００７１】
直ぐに購入ボタン６３３は、ウィッシュリストに追加された商品をユーザが直ぐに購入できるよう、注文書作成及び決済ステップをユーザに提供する。
【００７２】
削除ボタン６３４は、ウィッシュリストから当該商品が削除されるようにする。このとき、ウィッシュリストから商品が削除されると、ウィッシュリストページは、これをアップデートし、ウィッシュリストを表示する。
【００７３】
図６ｅは、注文書作成ページを表示した図である。図６ｅを参照すると、第２のデバイス１４０がユーザインターフェースから「直ぐに購入」ボタン６３３への入力を受けた場合、第２のデバイス１４０は、注文書作成ページ６４０をディスプレイに表示する。このとき、注文書作成ページ６４０は、注文顧客情報６４１と、決済手段６４２と、決済ボタン６４３と、を含み得る。注文顧客情報６４１は、例えば、氏名、一般電話番号、携帯電話番号、電子メールアドレスなどを含む。決済手段６４２は、例えば、クレジットカード、無通帳入金、モバイル決済、アプリケーションを利用した決済などを含む。第２のデバイス１４０は、注文顧客情報６４１及び決済手段６４２に関する作成が全て完了すると、ユーザから決済ボタン６４３への入力を受けることによって、当該商品に対する決済を進行させることができる。
【００７４】
図６ｆは、決済ページを表示した図である。図６ｆを参照すると、第２のデバイス１４０のユーザが注文書作成ページでクレジットカード決済を選択した場合、第２のデバイス１４０は、クレジットカード番号を入力できる決済ページ６５０をディスプレイに表示する。このとき、第２のデバイス１４０のユーザがクレジットカード番号入力欄６５１にクレジットカード番号を記入し、分割払い又は一括払いの要否を選択した後、確認ボタン６５２を選択すると、第２のデバイス１４０は、決済完了ページをディスプレイに表示する。
【００７５】
図６ｇは、決済完了ページを示す図である。図６ｇを参照すると、決済が完了した場合、第２のデバイス１４０は、『決済が正常に処理されました。』のような決済完了ページ６６０をディスプレイに表示する。ここで、決済が完了できなかった場合、第２のデバイス１４０は、前のステップである注文書作成ページ６４０又は決済ページ６５０へ移動してディスプレイに表示する。
【００７６】
図７ａ乃至図７ｃは、本発明の一実施例に係るユーザの友達のデバイスにウィッシュリストに関する情報を提供する過程を説明するための図である。
【００７７】
図７ａは、第２のデバイス１４０において商品の詳細情報を表示した図である。図７ａを参照すると、第２のデバイス１４０は、ユーザインターフェースを通じて友達設定ボタン７１０に対する選択の入力を受信する。ユーザは、友達設定ボタン７１０を通じてウィッシュリストに入れられた商品に対する公開有無設定を設定することができる。例えば、ウィッシュリストに入れられた商品が非公開に設定された場合、第２のデバイス１４０は、『カートが非公開に設定されています。』のようなメッセージをディスプレイに表示し、ウィッシュリストに入れられた商品が公開に設定された場合、第２のデバイス１４０は、『カートが公開に設定されています。』のようなメッセージをディスプレイに表示する。
【００７８】
図７ｂは、ウィッシュリストに入れられた商品に対する公開設定ページを示す図である。図７ｂを参照すると、公開設定ページは、第１の画面にウィッシュリストに入れられた商品７２０を表示し、第２の画面に第２のデバイス１４０の友達リスト７３０を表示する。例えば、第２のデバイス１４０のユーザの友達リスト７３０に「Ａｌｉｃｅ」７３１、「Ｓａｒａ」７３２、「Ｎｉｃｋ」７３３、「Ｊｕｌｌｉｅ」７３４の総４名の友達が含まれている場合、ユーザは、友達リストに含まれた友達のうち一部を選択し、選択された友達にのみウィッシュリストに入れられた商品を公開することができる。このとき、第２のデバイス１４０のユーザは、友達リストのうち「Ａｌｉｃｅ」７３１、「Ｎｉｃｋ」７３３を選択すると、第２のデバイス１４０は、「Ａｌｉｃｅ」７３１、「Ｎｉｃｋ」７３３にのみウィッシュリストに入れられた商品を公開し、第１の画面７２０に『この商品を公開する友達（公開２名）』とメッセージを表示する。
【００７９】
図７ｃは、友達の公開設定有無が適用された商品の詳細情報ページを示す図である。図７ａ及び７ｃを参照すると、図７ａでは友達公開設定有無が非公開に適用されたので、第２のデバイス１４０が『カートが非公開に設定されています。』のようなメッセージを表示したが、図７ｃでは友達公開設定有無が公開に適用されたので、第２のデバイス１４０は、『Ａｌｉｃｅの外１名に公開』のようにメッセージ７４０を変更して表示する。
【００８０】
図８ａ乃至図８ｈは、本発明の一実施例に係るユーザがチャットメッセージを通じてユーザの友達にウィッシュリストに含まれた商品をプレゼントする過程を説明するための図である。
【００８１】
図８ａは、ウィッシュリストページを示す図である。図８ａを参照すると、第２のデバイス１４０は、ウィッシュリストページを通じてユーザのウィッシュリスト８１０とユーザの友達のウィッシュリスト８１１とを共にディスプレイに表示する。このとき、ウィッシュリストは、追加された商品の個数を共に表示することができる。
【００８２】
図８ｂは、友達のウィッシュリストを示す図である。図８ｂを参照すると、第２のデバイス１４０のユーザが友達のウィッシュリストを選択した場合、第２のデバイス１４０は、当該友達のウィッシュリストに入れられた商品をディスプレイに表示する。例えば、第２のデバイス１４０のユーザが友達である「Ａｌｉｃｅ」のウィッシュリストを選択した場合、第２のデバイス１４０は、「Ａｌｉｃｅ」のウィッシュリストページ８２０をディスプレイに表示する。ここで、「Ａｌｉｃｅ」のウィッシュリストに「２個」の商品が追加された場合、第２のデバイス１４０は、第１の商品である「アナスイ香水」８２１及び第２の商品である「バラ１００本」８２２を共にディスプレイし、それぞれの商品のイメージ、商品名、販売先及び価格を共に表示することができる。
【００８３】
図８ｃは、第２のデバイス１４０のユーザが友達のウィッシュリストから特定商品を選択した画面を示す図である。図８ｂ及び図８ｃを参照すると、第２のデバイス１４０のユーザが「Ａｌｉｃｅ」のウィッシュリストのうち第１の商品である「アナスイ香水」８２１を選択した場合、第２のデバイス１４０は、選択された「アナスイ香水」８２１に対する商品の詳細情報８３０をディスプレイに表示する。例えば、第２のデバイス１４０は、「アナスイ香水」８２１に対する商品の詳細情報８３０を表示するために商品のイメージ、商品名、販売先、価格を表示する。また、第２のデバイス１４０は、『Ｇｏｏｄ！！Ｇｏｏｄ！！』のように友達「Ａｌｉｃｅ」が「アナスイ香水」に関して残した商品メッセージ８３１を共に表示することができる。このとき、第２のデバイス１４０のユーザは、「プレゼントする」ボタン８３２を通じて友達「Ａｌｉｃｅ」に「アナスイ香水」をプレゼントすることができる。
【００８４】
図８ｄは、プレゼントメッセージ画面を示す図である。図８ｃ及び図８ｄを参照すると、図８ｃで第２のデバイス１４０のユーザが「アナスイ香水」８２１に対して「プレゼントする」ボタン８３２を選択した場合、第２のデバイス１４０は、当該商品に対するプレゼントメッセージ入力ページをディスプレイに表示する。このとき、プレゼントメッセージ入力ページは、例えば、『Ａｌｉｃｅにメッセージを残して下さい。』のようなメッセージと共にプレゼントメッセージ入力ウィンドウ８４０を表示する。第２のデバイス１４０のユーザは、プレゼントメッセージ入力ウィンドウ８４０を通じて『お誕生日おめでとう！』のようなプレゼントメッセージを残し、第２のデバイス１４０のユーザが「確認」ボタン８４１を選択することによって、「アナスイ香水」に対するプレゼントメッセージを友達のデバイス（未図示）へ送信することができる。
【００８５】
図８ｅ乃至図８ｇは、商品をプレゼントするための決済過程を説明するための図である。図８ｄ乃至図８ｇを参照すると、図８ｄで第２のデバイス１４０が「アナスイ香水」８２１に対してプレゼントメッセージを入力した場合、第２のデバイス１４０は、当該商品に対する決済ページをユーザに提供する。このとき、第２のデバイス１４０は、商品の決済のための販売先のウェブ又はモバイルページ８５０をウェブサーバに要請する。第２のデバイス１４０で商品の決済のためのウェブ又はモバイルページ８５０を受信した場合、第２のデバイス１４０は、ユーザから注文書作成ページ８６０をディスプレイに表示する。注文書作成ページ８６０及び決済ページ８７０に関する説明は、上述したユーザのウィッシュリストでの商品に対する注文書作成ページ８６０及び決済ページ８７０に関する説明と同一であるので、省略することとする。
【００８６】
図８ｈは、決済完了に関するチャットメッセージを表示した図である。図８ｈを参照すると、第２のデバイス１４０が友達「Ａｌｉｃｅ」にプレゼントした「アナスイ香水」８２１に対する決済が完了すると、第２のデバイス１４０は、ウィッシュリストサーバ１１０又はウェブサーバから『Ａｌｉｃｅに［アナスイ香水  Ａｍａｚｏｎ］をプレゼントしました。』のようなチャットメッセージ(８８０)を受信し、ディスプレイに表示する。
【００８７】
図９は、本発明の一実施例に係るサーバにおいて、チャットメッセージ生成方法を示すフローチャートである。図９に示された実施例に係るウィッシュリストサーバ１１０によって行われるチャットメッセージ生成方法は、図１に示された実施例に係るチャットシステム１において時系列に処理されるステップを含む。従って、以下、省略された内容であるとしても、図１に示された実施例に係るチャットシステム１に関して既に記述された内容は、図９に示された実施例に係るウィッシュリストサーバ１１０によって行われるチャットメッセージ生成方法においても適用される。
【００８８】
図９を参照すると、ステップＳ９１０において、サーバにおいて、デバイス又はウェブサーバから受信した要請に基づき、デバイスのウェブページ上に表示された識別子に対する選択を認識する。ステップＳ９２０において、要請に基づいてウェブページの商品情報及び選択と関連したユーザのアカウント情報を取得する。ステップＳ９３０において、アカウント情報に基づき、サーバのアカウントとユーザのアカウントとの間でチャットセッションを活性化する。ステップＳ９４０において、商品情報に対応するチャットメッセージを生成する。ステップＳ９５０において、チャットセッションを通じてチャットメッセージをデバイスに提供する。
【００８９】
図９には示されていないが、ユーザのアカウント情報を取得するステップの後に、アカウント情報に基づいて商品情報をユーザのウィッシュリストに追加するステップをさらに含み得る。
【００９０】
図９には示されていないが、チャットメッセージをデバイスに提供するステップの後に、提供したチャットメッセージがデバイスによって選択される場合、ウィッシュリストに関する情報をデバイスに提供するステップをさらに含み得る。
【００９１】
図９には示されていないが、第１のチャットメッセージをデバイスに提供するステップの後に、デバイスの第２のウェブページ上に表示された識別子に対する選択が認識される場合、第２のウェブページの第２の商品情報に対応する第２のチャットメッセージをデバイスに提供するステップをさらに含み得る。
【００９２】
図９には示されていないが、チャットメッセージをデバイスに提供するステップの後に、商品情報に関する決済要請が受信されると、決済と関連したチャットメッセージを生成するステップ及び決済と関連したチャットメッセージをデバイスへ送信するステップをさらに含み得る。
【００９３】
上述した説明において、ステップＳ９１０乃至Ｓ９５０は、本発明の具現例によって、追加のステップにさらに分割されたり、より少ないステップに組み合わせられ得る。また、一部のステップは必要に応じて省略されても良く、ステップ間の手順が変更されても良い。
【００９４】
図９を通じて説明されたチャットメッセージ生成方法は、コンピュータにより実行されるプログラムモジュールのようなコンピュータにより実行可能な命令語を含む記録媒体の形態でも具現され得る。コンピュータ読み取り可能な媒体は、コンピュータによってアクセスできる任意の可溶媒体であっても良く、揮発性及び非揮発性の媒体、分離型及び非分離型の媒体を全て含む。また、コンピュータ読み取り可能な媒体は、コンピュータ保存媒体及び通信媒体を全て含み得る。コンピュータ保存媒体は、コンピュータ読み取り可能な命令語、データ構造、プログラムモジュール、又はその他のデータのような情報保存のための任意の方法又は技術で具現された揮発性及び非揮発性、分離型及び非分離型の媒体を全て含む。通信媒体は、典型的にコンピュータ読み取り可能な命令語、データ構造、プログラムモジュール、又は搬送波のような変調されたデータ信号のその他のデータ、又はその他の転送メカニズムを含み、任意の情報伝達媒体を含む。
【００９５】
上述した本発明の説明は例示のためのものであり、本発明の属する技術分野において通常の知識を有する者であれば、本発明の技術的思想や必須の特徴を変更せずに他の具体的な形態で容易に変形可能であるということを理解できるはずである。
【００９６】
それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【図１】
0006424274.tif 000002
【図２】
0006424274.tif 000003
【図３ａ】
0006424274.tif 000004
【図３ｂ】
0006424274.tif 000005
【図４ａ】
0006424274.tif 000006
【図４ｂ】
0006424274.tif 000007
【図４ｃ】
0006424274.tif 000008
【図４ｄ】
0006424274.tif 000009
【図４ｅ】
0006424274.tif 000010
【図５】
0006424274.tif 000011
【図６ａ】
0006424274.tif 000012
【図６ｂ】
0006424274.tif 000013
【図６ｃ】
0006424274.tif 000014
【図６ｄ】
0006424274.tif 000015
【図６ｅ】
0006424274.tif 000016
【図６ｆ】
0006424274.tif 000017
【図６ｇ】
0006424274.tif 000018
【図７ａ】
0006424274.tif 000019
【図７ｂ】
0006424274.tif 000020
【図７ｃ】
0006424274.tif 000021
【図８ａ】
0006424274.tif 000022
【図８ｂ】
0006424274.tif 000023
【図８ｃ】
0006424274.tif 000024
【図８ｄ】
0006424274.tif 000025
【図８ｅ】
0006424274.tif 000026
【図８ｆ】
0006424274.tif 000027
【図８ｇ】
0006424274.tif 000028
【図８ｈ】
0006424274.tif 000029
【図９】
0006424274.tif 000030